(57)【要約】【課題】販売店でオーダーメイドの化粧品を簡単に販売できるようにすること。【解決手段】顧客ごとの化粧品を販売する化粧品販売システムにおいて、化粧品の配合成分ごとに小分けして保存している成分小分容器１１と、顧客ごとの化粧品の配合成分を決定する成分決定手段２と、化粧品の配合成分を混合するブレンダー３と、を備え、成分決定手段２で決定された配合成分を含む成分小分容器１１から取り出した成分をブレンダー３で混合して、顧客ごとの化粧品を得る、化粧品販売システム。【選択図】        図１
2005165547.tif 000002
【特許請求の範囲】
【請求項１】
顧客ごとの化粧品を販売する化粧品販売システムにおいて、
化粧品の配合成分ごとに小分けして保存している成分小分容器と、
顧客ごとの化粧品の配合成分を決定する成分決定手段と、
化粧品の配合成分を混合するブレンダーと、を備え、
成分決定手段で決定された配合成分を含む成分小分容器から取り出した成分をブレンダーで混合して、顧客ごとの化粧品を得ることを特徴とする、化粧品販売システム。
【請求項２】
請求項１に記載の化粧品販売システムにおいて、
成分小分容器は、各種の水の水成分小分容器、化粧品原料の原料成分小分容器、化粧品に色付けする色成分小分容器、化粧品に香り付けする香成分小分容器からなることを特徴とする、化粧品販売システム。
【請求項３】
請求項１に記載の化粧品販売システムにおいて、
ブレンダーは、変形可能な容器であり、容器を変形して各配合成分を移動させて混合することを特徴とする、化粧品販売システム。
【請求項４】
請求項１に記載の化粧品販売システムにおいて、
化粧品を収納する化粧品容器に顧客の氏名を付する氏名付与手段を備え、
得られた顧客ごとの化粧品を、該顧客の氏名を氏名付与手段で付した顧客固有の化粧品容器に収納することを特徴とする、化粧品販売システム。
【発明の詳細な説明】
【技術分野】
【０００１】
本発明は、顧客に合った化粧品の配合成分を顧客ごとに調合した化粧品を販売する化粧品販売システムに関するものである。
【背景技術】
【０００２】
顧客毎に、又朝、昼、晩など時刻により肌質が異なるため、顧客の肌に適する化粧品の種類は、無数となる。そのため、化粧品メーカは、そのような化粧品を全て取り揃えることは不可能である。そこで、顧客の肌に合った化粧品を販売する場合、販売店において、顧客の肌を調べたりアンケートを取って、オーダーメイドの化粧品を販売することになる。しかし、法律上、化粧品は工場で製造する必要があるため、各販売店で簡単にオーダーメイドの化粧品を販売することは、殆ど不可能である。
【発明の開示】
【発明が解決しようとする課題】
【０００３】
＜１＞本発明は、販売店でオーダーメイドの化粧品を簡単に販売できるようにすることにある。
＜２＞本発明は、また、オーダーメイドの化粧品の販売システムを提供することにある。
【課題を解決するための手段】
【０００４】
＜１＞本発明は、顧客ごとの化粧品を販売する化粧品販売システムにおいて、化粧品の配合成分ごとに小分けして保存している成分小分容器と、顧客ごとの化粧品の配合成分を決定する成分決定手段と、化粧品の配合成分を混合するブレンダーと、を備え、成分決定手段で決定された配合成分を含む成分小分容器から取り出した成分をブレンダーで混合して、顧客ごとの化粧品を得る、化粧品販売システムにある。
＜２＞本発明は、また、前記化粧品販売システムにおいて、成分小分容器は、各種の水の水成分小分容器、化粧品原料の原料成分小分容器、化粧品に色付けする色成分小分容器、化粧品に香り付けする香成分小分容器からなることを特徴とする、化粧品販売システムにある。
＜３＞本発明は、また、前記化粧品販売システムにおいて、ブレンダーは、変形可能な容器であり、容器を変形して各配合成分を移動させて混合することを特徴とする、化粧品販売システムにある。
＜４＞本発明は、また、化粧品を収納する化粧品容器に顧客の氏名を付する氏名付与手段を備え、得られた顧客ごとの化粧品を、該顧客の氏名を氏名付与手段で付した顧客固有の化粧品容器に収納することを特徴とする、化粧品販売システムにある。
【発明を実施するための最良の形態】
【０００５】
＜１＞化粧品販売システム
化粧品販売システムは、販売店で顧客の肌に合った顧客ごと（オーダーメイド）の化粧品を提供するシステムである。また、化粧品販売システムは、オーダーメイドの化粧品として、顧客の好みの色、香りを付与することもできる。化粧品販売システムは、例えば図１に示すように、販売店では、化粧品工場で製造された成分小分容器１１を収納部１で保存し、顧客の肌に合うように成分決定手段２で選択して、顧客に成分小分容器１１を販売する。顧客は、購入した成分小分容器１１の化粧品成分を、販売店に設置してあるブレンダー３に入れて、混合してオーダーメイドの化粧品を得る。得られた化粧品は、顧客の氏名などが付与された顧客専用の化粧品容器５に入れられる。顧客専用の化粧品容器５には、表面に顧客の氏名などが氏名付与手段４で付与される。このようなシステムを取ることにより、化粧品工場を持たない簡易な販売店であっても、顧客に合ったオーダーメイドの化粧品を顧客に販売することができる。このようなサービスは、顧客に満足を与えることができ、有効な化粧品販売を行うことができる。
【０００６】
＜２＞成分小分容器
成分小分容器１１は、化粧品の配合成分を小分けして入れてある容器であり、化粧品工場で法律の規定に則って製造される。化粧品の原料成分は、例えば、化粧品のベースとなる油などであり、これらの成分を小分けして成分小分容器に入れておく。複数の化粧品成分を一緒にして小分けして成分小分容器に入れても良い。成分小分容器１１は、販売店の収容部に品質が保持されるように保存される。収容部は冷蔵庫などが使用できる。化粧品の原料成分は、数十種類から数百種類と必要に応じて原料成分小分容器１５に入れて揃えておく。また、配合成分の水は、海洋深層水、精製水など各種の水を水成分小分容器１２で保持するとよい。また、ピンクや薄緑などの各種の色を付与する色成分小分容器１３やラベンダーやローズなどの各種の香りを付与する香成分小分容器１４も揃えておくとよい。法律の規制がなければ、これら成分小分容器１１を販売店で製造してもよい。
【０００７】
＜３＞成分決定手段
成分決定手段２は、顧客の肌に合った成分を決定するものである。成分決定手段２は、例えば、顧客がパソコンの画面の質問に答えるように回答を入力し、パソコンでデータ処理することにより、顧客の肌に合った化粧品成分を決定することができる。又は、成分決定手段２は、顧客が質問用紙に答えるように回答用紙に回答することにより、顧客の肌に合った化粧品成分を決定することができる。化粧品の色や香りはカラーセラピーやアロマテラピーで決めることもできる。
【０００８】
成分決定手段２で決定された成分を含む成分小分容器１１を収容部１の成分小分容器１１から選んで取り出し、顧客に販売する。成分決定手段１１は、収容部１に収容されている成分小分容器１１を機械的手段で取り出したり、販売員が関与して取り出しても良い。
【０００９】
＜４＞ブレンダー
ブレンダー３は、複数の成分を混合して化粧品を得るものである。顧客は、成分決定手段２により購入した複数の成分小分容器１１を開封して、複数の成分をブレンダー３に入れて混合する。ブレンダー３は、成分決定手段２から自動的に、又は、顧客自ら操作しても、又は、顧客が販売店に依頼して操作しても良い。ブレンダー３は、例えば撹拌装置があり、撹拌手段により複数の成分を撹拌して混合する。
【００１０】
ブレンダー３は、また、注入袋と混合袋の組からなる変形可能な容器を使用することができる。例えば図２に、一体となった注入袋６と混合袋７を示す。図２（Ａ）は、平面図を示し、図２（Ｂ）は、側面図を示す。注入袋６は、各成分を別々に注入するための複数の注入口６１を有する。注入口６１から注入された成分は、独立してなるバッファ領域６２を有する。各バッファ領域６２は、２枚の平面状の袋材８を溶接して、溶接部分８１で仕切られている。各バッファ領域６２から混合路６４に向けて通路６３が形成されている。混合路６４は、排出管６５に連通している。混合袋７は、混合成分を出し入れする開口部７１と、混合成分を貯蔵する第１貯蔵部７２と第２貯蔵部７３を有する。第１貯蔵部７２と第２貯蔵部７３の間には、混合成分の流路を決めるための仕切壁７４、三角柱７５、抵抗柱７６を有する。
【００１１】
変形可能な容器を使用して成分を混合する場合、先ず、注入袋６の排出管６５を混合袋７の開口部７１に入れて、注入袋６と混合袋７を一体にする。次に、注入袋６の注入口６１から各成分を入れて、バッファ領域６２に成分を保持する。保持した状態で、注入口６１を蓋などで閉じる。図２（Ｂ）に示すように、ローラ８２で注入袋６に１面から圧力をかけて、バッファ領域６２にある各成分を混合路６４に押し出し、排出管６５を通して、混合袋７の第１貯蔵部７２に注入する。混合成分が混合袋７に入ったら、注入袋６を混合袋７から分離し、混合袋７の開口部７１を蓋などで閉じる。
【００１２】
混合成分を十分に混合する場合、第１貯蔵部７２を一面からローラ８２で圧力を加えて、第１貯蔵部７２の中の混合成分を第２貯蔵部７３に押し出す。仕切壁７４と三角柱７５の位置と形状から、混合成分の多くは、第１通路７７を通過する。第１通路７７では、仕切壁７４で通路が狭まり、三角柱７５と抵抗柱７６の隙間を通り、混合成分が撹拌される。次に、第２貯蔵部７３をローラ８２で圧力を加えて、第２貯蔵部７３の混合成分を第１貯蔵部７２に押し出す。その際、仕切壁７４と三角柱７５の位置と形状から、混合成分の多くは、第１通路７７とは異なる第２通路７８を通過し、混合成分が更に撹拌される。この操作を繰り返すことにより、より確実に多数の成分を混合することができる。
【００１３】
＜５＞化粧品容器
化粧品容器５は、オーダーメイドされた化粧品を入れる容器であり、色、形状、カットガラス、陶器、プラスチックなどを使用できる。更に、化粧品容器５には、顧客の氏名などを書き込み、顧客専用の容器とする。このようなサービスを行うことにより、オーダーメイド化粧品の特徴を高めることができる。
【００１４】
＜６＞氏名付与手段
氏名付与手段は、化粧品容器の表面に顧客の氏名、化粧品の配合成分、顧客の肌の特徴などを付与するものである。
【００１５】
以下に、化粧品販売方法について説明する
【００１６】
＜１＞成分小分容器の保存
販売店では、化粧品を製造するに必要な水成分小分容器１２、色成分小分容器１３１、香成分小分容器１４、原料成分小分容器１５などの成分小分容器１１を収容部１に保存しておく。
【００１７】
＜２＞顧客に合う成分の決定
販売店では、顧客にパソコン又は質問用紙などの成分決定手段２で質問の回答を求める。質問回答結果や顧客の肌、カラーセラピーやアロマテラピーなどにより、顧客に合う化粧品成分を決定する。販売店は、成分決定手段２で決定された成分を有する成分小分容器１１を収容部１から取り出し、顧客に販売する。
【００１８】
＜３＞成分の混合
顧客は、購入した成分小分容器１１から化粧品成分を取り出し、ブレンダー３に投入して、混合して化粧品を得る。
【００１９】
＜４＞ボトリング
販売店は、顧客の氏名などを氏名付与手段４で化粧品容器５の表面に付与する。又は、氏名付与手段４は、紙などの氏名付与可能なものに書き込み、化粧品容器５に貼っても良い。この化粧品容器５にブレンダー３で混合したオーダーメイドの化粧品を収納する。又は、化粧品容器５に化粧品を収納した後に、化粧品容器５に氏名などを付与しても良い。
【図面の簡単な説明】
【００２０】
【図１】化粧品販売システムの説明図
【図２】注入袋と混合袋の組からなるブレンダーの説明図
【符号の説明】
【００２１】
１・・・収容部
１１・・成分小分容器
１２・・水成分小分容器
１３・・色成分小分容器
１４・・香成分小分容器
１５・・原料成分小分容器
２・・・成分決定手段
３・・・ブレンダー
４・・・氏名付与手段
５・・・化粧品容器
６・・・注入袋
６１・・注入口
６２・・バッファ領域
６３・・通路
６４・・混合路
６５・・排出管
７・・・混合袋
７１・・開口部
７２・・第１貯蔵部
７３・・第２貯蔵部
７４・・仕切壁
７５・・三角柱
７６・・抵抗柱
７７・・第１通路
７８・・第２通路
８・・・袋材
８１・・溶接部
８２・・ローラ
【図１】
2005165547.tif 000003
【図２】
2005165547.tif 000004